(57)【特許請求の範囲】
【請求項１】
面に対して物品を吊り下げるための吊り具であって、
概ね平坦な下面及び周辺部を有し、前記下面が前記面の上に乗って摩擦係合するように設けられている基部と、
第１のリンク及び最後のリンクを有する鎖を形成するよう旋回可能に連続して互いに連結されている複数のリンクと、
前記第１のリンクが前記基部に対して第１の位置と第２の位置との間で旋回可能であるように、前記基部と前記複数のリンクの第１のリンクとを旋回可能に連結する旋回軸ピンと、
前記最後のリンクを前記基部と連結するための手段と、
前記複数のリンクを、前記第１のリンクが第１の位置にあって、前記複数のリンクが前記基部の周辺部に概ね隣接して位置する収納形態に固定する、磁石を含む係止手段とを備え、
前記最後のリンクの一部は前記基部内に延在し、
前記複数のリンクは、前記収納形態と、前記第１のリンクが第２の位置にあって、前記基部が前記面上に位置するときに前記物品がフックに吊り下がり得るように前記複数のリンクがフックを形成する機能的形態との間で旋回するように設けられている、吊り具。
【請求項２】
前記連結するための手段は、
前記最後のリンクの終端部から延在し、ボール端部に延在するピンと、
前記基部の周辺部のボール受け部とを含み、
前記ボール受け部は、前記前記最後のリンクが前記基部に取り外し可能に係合され得るように、かつ前記基部及び前記複数のリンクが共にループを形成するように、前記ピンを受けるとともに前記ボール端部を係止して係合する形状の溝を有する、請求項１に記載の吊り具。
【請求項３】
前記基部は、前記下面の反対側の上面と、前記上面上に位置する装飾的な印とを含む、請求項１に記載の吊り具。
【請求項４】
前記複数のリンクの最後のリンクは、前記物品と係合するように設けられている凹状の内側面を含む、請求項１に記載の吊り具。
【請求項５】
前記最後のリンクの一部は前記基部の周辺部内に延在する、請求項１に記載の吊り具。
【請求項６】
面に対して物品を吊り下げるための吊り具であって、
概ね平坦な下面及び周辺部を有し、前記下面が前記面の上に乗るように設けられている基部と、
第１のリンク及び最後のリンクを有する鎖を形成する複数のリンクであって、前記第１のリンクは、前記基部の周辺部に移動可能に連結されており、前記最後のリンクは、前記基部と連結するように設けられている、複数のリンクと、
前記最後のリンクの終端部から延在し、ボール端部を含むピンと、
前記基部の周辺部に沿ったボール受け部とを備え、
記ボール受け部は、前記ピンを受けるとともに前記ボール端部を係止して係合する形状の溝を有し、
前記鎖は、前記鎖が前記基部の周辺部と接触する収納形態と、前記基部が前記面上に位置するときに前記物品を懸架するように設けられるフックを前記鎖が形成する機能的形態との間で動くように設けられ、
前記吊り具はさらに、前記複数のリンクを前記収納形態に固定する、磁石を含む係止手段を備えている、吊り具。
【請求項７】
前記係止手段が、前記基部の周辺部に取り付けられた第１の磁石と、前記複数のリンクのうちの１つに取り付けられた第２の磁石とを含み、前記第２の磁石が、前記鎖を前記収納形態に固定するために、前記第１の磁石と磁気的に係合するように取り付けられている、請求項６に記載の吊り具。
【発明の詳細な説明】
【技術分野】
【０００１】
本発明は、一般的に吊り下げアクセサリ、特に、テーブルからハンドバッグを吊り下げるための可搬形吊り具に関する。
【背景技術】
【０００２】
従来技術は、ハンドバッグを吊り下げるための様々な形式の吊り具を教示している。例えば、Ｃｚａｒｎｙ、米国Ｄ２２９，８７０は、テーブルの下に女性のハンドバッグを吊り下げるための可搬形吊り具を教示している。吊り具は、平面の下側面を有する基部と、基部の側部から延在し、ハンドバッグを吊り下げるためのフック部材へ下に延在する固定吊り具部材とを具える。
【０００３】
可搬形吊り具の代替的な実施例が、Ｓｃｈｗａｒｔｚ、米国Ｄ４２９,８９９及びＳｔｅｗａｒｔ、米国Ｄ３８４，５０５に教示されている。これらの参照文献は、フックが基部に対して回転可能であるように、基部に回転可能に取り付けられた固定のフック型の部材を具える平坦な基部を具えるハンドバッグホルダを教示している。フックは基部に対して回転可能であるが、フック自体は固定されており、折り畳むことはできない。
【０００４】
Ｃｒｅｅｄ、米国５，０９４，４１７は、第１のフック部材に固定して取り付ける基部と、第１の部材に回転可能に取り付けられた第２のフック部材とを具えるハンドバッグに適応可能な支持具を教示している。
【０００５】
上述の参照文献は、本書に全体を参照によって組み込む。
【０００６】
従来技術は、基部及び固定フック、又は限定的な回転及び折り畳み性能を有するフックを具える様々な形式の可搬形吊り具を教示している。しかしながら、従来技術は、ハンドバッグを吊すように構成された機能的なフック形状から、複数のリンクが基部の周辺部に巻き付く収納形状へ折り畳み可能な複数のリンクを具える可搬形吊り具を教示していない。本発明は、これらの必要性を満足し、さらに、以下の概要に記述されるような関連する利点を提供する。
【発明の概要】
【０００７】
本発明は、後述する具体例により生じる構造及び使用における相当の利益を教示している。
【０００８】
本発明は、テーブルからハンドバッグを吊り下げるための可搬形吊り具を提供する。可搬形吊り具は、ほぼ平坦な下面及び周辺部を具える基部を具える。下面は、テーブルの上に乗って摩擦接触するように構成されている。複数のリンクは、第１のリンク及び最後のリンクを有する鎖を形成するように連続しており、互いに回転可能に連結されている。連結具は、第１のリンクが基部に対して第１の位置と第２の位置の間で回転可能であるように、基部と複数のリンクの第１のリンクを回転可能に連結する。複数のリンクは、旋回軸ピンが第１の位置にあって、複数のリンクが基部の周辺部にほぼ隣接して位置する収納構成と、基部がテーブル上に位置するときハンドバッグがフックにつり下がるように、連結具が第２の位置にあって、複数のリンクがフックを形成する機能的構成との間で回転するように構成されている。
【０００９】
本発明の第１の目的は、従来技術によって教示されていない利点を有する可搬形吊り具を提供することである。
【００１０】
別の目的は、機能的なフック形状から基部の周辺部に巻き付く収納形状へ折り畳むことができる複数のリンクを具える可搬形吊り具を提供することである。
【００１１】
別の目的は、ハンドバッグアクセサリとしてハンドバッグに吊り具を収容するように、環状構成に折り畳み可能であり、基部に取り外し可能に取り付けられる複数のリンクを具える可搬形吊り具を提供することである。
【００１２】
さらなる目的は、環状構成において複数のリンクを係止する磁気係止部材を具える可搬形吊り具を提供することである。
【００１３】
本発明の他の特性及び利点が、本発明の原理を一例として説明している添付する図面と合わせて以下の詳細な記述から明らかにしうる。
【図面の簡単な説明】
【００１４】
添付する図面は本発明を示す。
【図１】図１は、本発明の好適な実施例による可搬形吊り具の斜視図であり、可搬形吊り具は、テーブル上の基部と、ハンドバッグを吊すためにフックを形成する複数のリンクとを具える機能的構成で示されている。
【図２】図２は、ハンドバッグで運ばれる環状構成の可搬形吊り具の斜視図である。
【図３】図３は、収納構成における可搬形吊り具の下面の斜視図である。
【図４】図４は、機能的構成における可搬形吊り具の斜視図である。
【図５】図５は、環状構成における可搬形吊り具の斜視図である。
【発明を実施するための形態】
【００１５】
上述の図面は、本発明、ハンドバッグ１２のような物品をテーブル１４から吊すための可搬形吊り具１０を示す。もちろん、可搬形吊り具１０は、コートや帽子、傘、買い物袋など、他の物品の支持にも好適であり、このような代替物は、主張する発明の範囲内と考慮されるべきである。
【００１６】
図１は、本発明の好適な実施例による可搬形吊り具１０の斜視図であり、可搬形吊り具１０は、テーブル１４上の基部２０と、ハンドバッグ１２を吊すためにフック４６を形成する複数のリンク３０とを具える機能的構成で示されている。図１に示すように、基部２０は、上面２２と、上面２２の反対側のほぼ平坦な下面２４と、上面２２と下面２４とを連結する周辺部２６とを具える。図１に示すように、下面２４（図３に最良に示す）は、テーブル１４の上に乗って摩擦接触するように構成されている。我々は、テーブル１４に可搬形吊り具１０を吊すことを論じているが、テーブルという言葉は、本書では、ユーザがハンドバッグ１２を吊すことを望みうる様々なほぼ平面を含むように規定される。
【００１７】
図１の実施例において、基部２０は、一般的にディスク形状であり、上面２２は、装飾的な印２８を具える。しかしながら、基部２０は、任意の機能的な形状で、様々な装飾形状、印、及び特性を具えても良く、すべてのこのような代替的な形状及び構成は、本発明の範囲内であると考慮されるべきである。基部２０は、高価ではない実施例のためにプラスチックや、より高価な実施例のために金属、及びより高価な実施例のための潜在的に貴金属を含む任意の好適な材料から作りうる。
【００１８】
可搬形吊り具１０は、さらに、連続して回転可能に互いに連結して第１のリンク３４及び最後のリンク３６を有する鎖３２を形成している複数のリンク３０を具える。第１のリンク３４が基部２０に対して、図１に示す第１の位置と、図３に示す第２の位置の間で回転可能であるように、旋回軸ピン４０などの連結具４０が基部２０と複数のリンク３０の第１のリンク３４を回転可能に連結する。複数のリンク３０は、旋回軸ピン４０が第１の位置にあって、複数のリンク３０が基部２０の周辺部２６にほぼ隣接して位置する図３に示す収納構成と、基部２０がテーブル１４に位置するとき、ハンドバッグ１２がフック４６につり下がるように旋回軸ピン４０が第２の位置にあって、複数のリンク３０がフックのような支持構造４６を形成する、図１及び４に示す機能的構成との間で回転するように構成されている。
【００１９】
複数のリンク３０の最後のリンク３６は、ハンドバッグ１２と摩擦接触するように機能する凹状の内側面４２を具える。好適な実施例において、複数のリンク３０のほとんど又は全てが、凹状であるか、フック４６を形成するために凹状の内側面４４を具える。代替的な実施例において、リンク３０は他の形状を有してもよい。
【００２０】
図１に図示するように、好適な実施例において、可搬形吊り具１０はさらに、複数のリンク３０を収納構成で係止するための係止手段を具える。一実施例において、係止手段は、収納構成で複数のリンク３０を磁気で係止する第１及び第２の磁石６０、６２を具える。一実施例において、第１の磁石６０は、基部２０の周辺部２６に取り付けられ、第２の磁石６２は、リンク３０のうちの一つの凹状の内側面４４などの複数のリンク３０のうちの１つに取り付けられる。一実施例が図示されているが、他の実施例もまた、本発明の範囲内で考慮されるべきである。例えば、複数の磁石が、様々な機能的な位置で使用可能である。さらに、これまでのところ磁石が好ましいが、他の形式のスナップ、クリップ、摩擦ロック、もしくは他の特性又は係止機構が使用可能であり、このような代替物が係止手段の範囲内で考慮されるべきである。
【００２１】
図２は、ハンドバッグ１２で運ばれる環状構成の可搬形吊り具１０の斜視図である。図４及び図５に図示されるように、可搬形吊り具１０は、最後のリンク３６を基部２０に連結する手段を具えることが好ましい。連結手段は、最後のリンク３６の終端部５２から延在するピン５０を具えることが好ましい。ピン５０は、ボール端部５４へ延在することが好ましい。この適用例のために、ピン５０及びボール端部５４は、本書では、下記のように機能する様々な形状の部材を具えるように規定される。最後のリンク３６が基部２０に取り外し可能に連結されるように、基部２０及び複数のリンク３０が互いにループを形成するように、及び可搬形吊り具１０が環状構成で維持されるように、基部２０、好ましくは基部２０の周辺部２６のボール受け部５６が、ピン５０を受けてボール端部５４を係止して連結する形状の溝５８を具える。
【００２２】
図２に図示するように、可搬形吊り具１０は、環状構成で装飾アクセサリとしてハンドバッグ１２で運ばれる。また、開示した発明から外れることなく他の連結構造を使用することができ、本発明の範囲内で考慮されるべきである。連結手段は、代替的に、例えば、様々な形式のスナップ、係止部材、又は従来技術において既知の他の構造を具えても良い。
【００２３】
図３は、収納構成における可搬形吊り具１０の下面の斜視図である。基部２０の下面２４は、テーブル１３に摩擦接触するように構成されている。下面２４は、下面２４とテーブル１４の間の摩擦接触を強化するために、ゴムなどの滑り防止コーティング（図示せず）又は表面模様付の面を具えても良い。
【００２４】
図４は、機能的構成での可搬形吊り具の斜視図である。図５は、環状構成での可搬形吊り具の斜視図である。
【００２５】
上記記述において使用した用語は、上述の言葉、同様又は均等の言葉、及びその派生語を含む。さらに、単語「一の(a)」「一の（an）」「一つの(one)」は、一又はそれ以上の参照した道具を含むように、そうではないことが特に述べられていない限り規定される。言葉「有する」、「含む」、「具える」、及び同様の言葉は、「具える」ことを、そうではないことが特に述べられていない限り規定される。
【００２６】
本発明は、少なくとも１の好適な実施例を参照して記述されているが、当業者によって本発明がこれに限定されないことが明瞭に理解されるべきである。むしろ、本発明の範囲は、以下のクレームと合わせてのみ解釈されるべきである。
【図１】
0004666416.tif 000002
【図２】
0004666416.tif 000003
【図３】
0004666416.tif 000004
【図４】
0004666416.tif 000005
【図５】
0004666416.tif 000006